(57)【特許請求の範囲】
【請求項１】
電磁加熱調理器が搭載されるアイランド型またはペニンシュラ型のキッチンキャビネットであって、
背板を両側板の後端縁よりも前方側に配置することによって、前記背板及び前記両側板によって囲われた、前記背板の外面側のスペースに棚部を形成し、
搭載される電磁加熱調理器よりも下側位置で前記背板を上下に分割し、下側の背板を、電磁加熱調理器と平面的に重なるように、上側の背板よりも前方側に配置し、
前記棚部は、前記下側の背板に連結され、前記両側板の後端縁よりも後側に張り出す棚板を有することを特徴とするキッチンキャビネット。
【発明の詳細な説明】
【技術分野】
【０００１】
この発明は、電磁加熱調理器が搭載されるキッチンキャビネットに関する。
【背景技術】
【０００２】
加熱調理機器としては、ガスコンロや電磁加熱調理器があるが、システムキッチンに組み込まれている加熱調理機器が搭載されるキッチンキャビネットは、通常、ガスコンロや電磁加熱調理器のいずれも搭載することができるように、その大きさ及び形状が設定されている。
【０００３】
ところで、加熱調理機器としてガスコンロを使用する場合は、加熱調理機器用のキッチンキャビネット内においてガス配管を立ち上げてそのガス配管とガスコンロとを接続しなければならないので、図５に示すように、加熱調理機器用のキッチンキャビネット５０は、組み込んだガスコンロＧＣの後方側に配管スペースＰＳが確保されている。
【先行技術文献】
【特許文献】
【０００４】
【特許文献１】特開２００１−１２７４２号公報
【発明の概要】
【発明が解決しようとする課題】
【０００５】
従って、図６に示すように、こういった加熱調理機器用のキッチンキャビネット５０に配管の不要な電磁加熱調理器ＩＨを搭載すると、後方側の配管スペースＰＳがデッドスペースとなってしまい、キッチンキャビネット５０の収容空間を効率良く使用することができないといった問題がある。
【０００６】
そこで、この発明の課題は、デッドスペースがなく、キャビネットの収容空間を効率良く使用することができる電磁加熱器用のキッチンキャビネットを提供することにある。
【課題を解決するための手段】
【０００７】
上記の課題を解決するため、請求項１に係る発明は、電磁加熱調理器が搭載されるアイランド型またはペニンシュラ型のキッチンキャビネットであって、背板を両側板の後端縁よりも前方側に配置することによって、前記背板及び前記両側板によって囲われた、前記背板の外面側のスペースに棚部を形成し、搭載される電磁加熱調理器よりも下側位置で前記背板を上下に分割し、下側の背板を、電磁加熱調理器と平面的に重なるように、上側の背板よりも前方側に配置し、前記棚部は、前記下側の背板に連結され、前記両側板の後端縁よりも後側に張り出す棚板を有することを特徴とするキッチンキャビネットを提供するものである。
【発明の効果】
【０００９】
以上のように、請求項１に係る発明のキッチンキャビネットは、ガスコンロが搭載されるキッチンキャビネットと同様のシステムキッチンに組み込むことができ、しかも、搭載された電磁加熱調理器の後方側にデッドスペースがなく、後面に配設された棚部を居間の収納スペースとして利用することができる。
【００１０】
また、このキッチンキャビネットは、搭載される電磁加熱調理器よりも下側位置で背板を上下に分割し、下側の背板を、電磁加熱調理器と平面的に重なるように、上側の背板よりも前方側に配置したので、下側の背板の外面側に大きな収納スペースを確保することができると共に、下側の背板に連結され、両側板の後端縁よりも後側に張り出す棚板には、ノート型パソコン等を載置することも可能であり、使い勝手が良い。
【図面の簡単な説明】
【００１１】
【図１】この発明に係るキッチンキャビネットの一実施形態を示す平面図である。
【図２】同上のキッチンキャビネットを示す正面図である。
【図３】図２のＸ−Ｘ線に沿った拡大断面図である。
【図４】他の実施形態であるキッチンキャビネットを示す断面図である。
【図５】従来の加熱調理機器用のキッチンキャビネットにガスコンロを配置した状態を示す断面図である。
【図６】同上のキッチンキャビネットに電磁加熱調理器を配置した状態を示す断面図である。
【発明を実施するための形態】
【００１２】
以下、実施の形態について図面を参照して説明する。図１〜図３は、ダイニングキッチンを台所側と居間側とに区画するように配設されるアイランド型またはペニンシュラ型のシステムキッチンに使用される、電磁加熱調理器を搭載するためのキッチンキャビネット１を示している。
【００１３】
このキッチンキャビネット１は、同図に示すように、上面開口部及び前面開口部を有するキャビネット本体１０と、このキャビネット本体１０の前面開口部における上段左側部及び上段右側部にそれぞれ差し込まれる上部引き出し２１、２２と、キャビネット本体１０の前面開口部における中段部に差し込まれる中部引き出し２３と、キャビネット本体１０の前面開口部における下段部に差し込まれる下部引き出し２４と、キャビネット本体１０の後面に配設された棚部３０とを備えており、キャビネット本体１０の上面開口部にカウンター（図示せず）が固定設置され、そのカウンターに装着された電磁加熱調理器ＩＨが上部引き出し２１、２２の間に収容されるようになっている。
【００１４】
前記キャビネット本体１０は、左右一対の側板１１、１１と、両側板１１、１１を背面側で連結する背板１２と、左側の上部引き出し２１が収容される上段左側部と電磁加熱調理器ＩＨが収容される上段中央部とを区画する左側仕切板１３と、右側の上部引き出し２２が収容される上段右側部と上段中央部とを区画する右側仕切板１４と、左側の側板１１の上部と左側仕切板１３の上部とを前面側で連結する左側前桟木１５と、右側の側板１１の上部と右側仕切板１４の上部とを前面側で連結する右側前桟木１６と、左側仕切板１３及び右側仕切板１４の前端部を載置した状態で、側板１１、１１を前面側で連結する前桟木１７と、左右の側板１１、１１を下端部で連結する底板１８とを備えており、背板１２を両側板１１、１１の後端縁よりも前方側に配置することによって、背板１２の外面側に、背板１２及び両側板１１、１１によって囲われたスペースを確保し、そのスペースに棚部３０が形成されている。
【００１５】
前記背板１２は、搭載される電磁加熱調理器ＩＨよりも下側位置で上下に分割されており、上側の背板１２ａは、電磁加熱調理器ＩＨよりも後方側に配置されているが、下側の背板１２ｂは、電磁加熱調理器ＩＨの後端部と平面的に重なるように、上側の背板１２ａよりも前方側に配置されている。
【００１６】
前記棚部３０は、背板１２の分割位置で両側板１１、１１に連結された上部棚板３１と、下側の背板１２ｂの中間高さ位置で両側板１１、１１に連結された下部棚板３２と、下側の背板１２ｂよりも後方側に張り出した底板１８の後部とから構成されており、下部棚板３２は、側板１１、１１の後端縁よりも後側に張り出している。
【００１７】
前記上部棚板３１は、その前端面が下側の背板１２ｂの上端部に連結されていると共に、その前部上面が上側の背板１２ａの下端面に連結されており、左側仕切板１３及び右側仕切板１４の後端部が、上部棚板３１の後部上面に載置された状態で連結されている。
【００１８】
以上のように、このキッチンキャビネット１は、ガスコンロが搭載されるキッチンキャビネットと同様のシステムキッチンに組み込むことができ、しかも、搭載された電磁加熱調理器ＩＨの後方側にデッドスペースがなく、キャビネット本体１０の後面に配設された棚部３０を居間の収納スペースとして利用することができる。
【００１９】
また、このキッチンキャビネット１は、搭載される電磁加熱調理器ＩＨよりも下側位置で背板１２を上下に分割し、下側の背板１２ｂを、電磁加熱調理器ＩＨと平面的に重なるように、上側の背板１２ａよりも前方側に配置したので、下側の背板１２ｂの外面側に大きな収納スペースを確保することができる。
【００２０】
また、棚部３０を構成している下部棚板３２は、側板１１、１１の後端縁よりも後側に張り出しているので、ノート型パソコン等を載置することも可能であり、使い勝手が良い。
【００２１】
また、このキッチンキャビネット１は、両側板１１、１１の下縁の全長に渡って底板１８が連結されているので、ガスコンロや電磁加熱調理器のいずれも搭載することができるように、背板の内面に隣接して形成されたガス配管の配管スペースの底面が一方の側板から他方の側板にわたって開放されている従来の加熱調理機器用のキッチンキャビネットに比べて強度が向上する。
【００２２】
なお、上述した実施形態では、搭載される電磁加熱調理器ＩＨよりも下側位置で背板１２を上下に分割し、下側の背板１２ｂを、電磁加熱調理器ＩＨと平面的に重なるように、上側の背板１２ａよりも前方側に配置しているが、これに限定されるものではなく、例えば、図４に示すキッチンキャビネット２のように、背板１２を上下に分割することなく、電磁加熱調理器ＩＨよりも後方側に配置してもよい。
【００２３】
また、上述した各実施形態では、引き出し収納タイプのキッチンキャビネット１、２について説明したが、これに限定されるものではなく、収納部が開き戸タイプのキッチンキャビネットについても、本発明を適用することができることはいうまでもない。
【産業上の利用可能性】
【００２４】
本発明は、アイランド型またはペニンシュラ型のシステムキッチンに組み込まれる、電磁加熱調理器用のキッチンキャビネットに利用することができる。
【符号の説明】
【００２５】
１、２  キッチンキャビネット
１０  キャビネット本体
１１  側板
１２  背板
１２ａ  上側の背板
１２ｂ  下側の背板
１３  左側仕切板
１４  右側仕切板
１５  左側前桟木
１６  右側前桟木
１７  前桟木
１８  底板
２１、２２  上部引き出し
２３  中部引き出し
２４  下部引き出し
３０  棚部
３１  上部棚板
３２  下部棚板
ＩＨ  電磁加熱調理器
【図１】
0006521647.tif 000002
【図２】
0006521647.tif 000003
【図３】
0006521647.tif 000004
【図４】
0006521647.tif 000005
【図５】
0006521647.tif 000006
【図６】
0006521647.tif 000007